(57)【特許請求の範囲】
【請求項１】
上端の口筒部（３）の下方に肩部（４）、胴部（５）及び底部（６）を備えると共に、平面視にて前記底部（６）領域内であり且つ前記胴部（５）に形成した取っ手（７）を有して内容物を収容する容器本体（２）と、前記口筒部（３）に着脱自在に装着されて前記口筒部（３）の封止を可能とするオーバーキャップ（１０）と、注出用のノズル（２３）を備えると共に前記オーバーキャップ（１０）の代わりに前記口筒部（３）に着脱自在に装着されて前記内容物の注出を可能とするノズルキャップ（２０）と、を有するノズル付き注出容器であって、
前記オーバーキャップ（１０）と前記ノズルキャップ（２０）のいずれか一方に、他方を保持する保持手段を設け、
前記取っ手（７）の上部で且つ前記口筒部（３）の側方の領域に、前記口筒部（３）に前記オーバーキャップ（１０）が装着されたときには前記ノズルキャップ（２０）の収納を可能とし、且つ前記口筒部（３）に前記ノズルキャップ（２０）が装着されたときには前記オーバーキャップ（１０）の収納を可能とする収納スペース（８）を、前記ノズルキャップ（２０）の形状に倣う形状で且つ前記底部（６）領域内に設けたことを特徴とするノズル付き注出容器。
【請求項２】
保持手段が、ノズルキャップ（２０）の基部側面（２１Ａ）に突設され、オーバーキャップ（１０）を保持する一対の弾性腕（２４）として構成される請求項１記載のノズル付き注出容器。
【請求項３】
オーバーキャップ（１０）の天面（１２）に、一対の弾性腕（２４）によって保持される被保持部（１３）を設けた請求項２記載のノズル付き注出容器。
【請求項４】
保持手段が、オーバーキャップ（１０）の基部側面（１１Ａ）に突設され、ノズルキャップ（２０）を保持する一対の弾性腕（１５）として構成される請求項１記載のノズル付き注出容器。
【請求項５】
ノズルキャップ（２０）先端の注出口（２５）に、複数の小孔（２７）、十字状または格子状のうちのいずれか一つからなる流量調整部（２６）を配置した請求項１乃至４のいずれか一項に記載のノズル付き注出容器。
【発明の詳細な説明】
【技術分野】
【０００１】
本発明は、容器本体内に充填された粉状、粒状又は液状などの内容物をノズルを介して注出するノズル付き注出容器に関する。
【背景技術】
【０００２】
容器本体の口筒部に注出ノズルを備える注出キャップが装着された注出容器として、例えば以下の特許文献１、特許文献２に示すような、計量キャップと組み合わせて用いる計量キャップ付き容器が知られている。これらの注出容器では、注出キャップの注出ノズルを覆って装着された計量キャップを取り外し、注出ノズルを介して液体洗剤等の内容液を計量キャップに注出して計量し、その後に内容液を洗濯機等に投入される。なお、これらの注出容器では、収容した内容液が無くなったり、少なくなったら、詰替え用の袋状容器などから内容液を適宜補充して、注出容器自体は廃棄することなく長期間使用することができるようになっている。
【先行技術文献】
【特許文献】
【０００３】
【特許文献１】特開２００６−１８２３５９号公報
【特許文献２】特開２００９−１０７７２４号公報
【発明の概要】
【発明が解決しようとする課題】
【０００４】
しかしながら、特許文献１及び２に示す容器においては、ノズルの先端が口筒部より上方に突出する構成であるため、注出容器の全高さ寸法が高くなり過ぎ、規定寸法の梱包箱内に収まらない場合や、販売店の陳列ケース又は購入者側の保管棚等に収まり切らない場合が想定される。
特に、注出容器が、コピー機のトナー補給用のようにロングノズルとする必要がある場合には、このような弊害が顕著に起こりうる。
【０００５】
また単に、流通や保管等のノズル不使用時にはオーバーキャップで口筒部を封止し、使用時にオーバーキャップを取り外してノズルに交換できるようにした構成では、口筒部に装着されていない状態にあるノズルやオーバーキャップを紛失する恐れがあると云う問題がある。
【０００６】
このため、ノズル不使用時には、ノズルを袋などに入れて保管する方法が考えられるが、袋を別途用意する必要があるためコストの低廉化が難しくなると云う問題がある。またノズルを保管するために別途スペースを確保する必要があるため、梱包箱や保管棚内に収納し難いという問題もある。
【０００７】
本発明は、上記した従来技術における問題点を解消すべく、口筒部にノズルが装着されるノズル付き注出容器において、その全高さ寸法を抑制することで流通や保管の妨げとならないようにすると共に、ノズル及びオーバーキャップの紛失防止とこれらを保管し易くしたノズル付き注出容器を創出することを課題とする。
【課題を解決するための手段】
【０００８】
上記課題を解決するための手段のうち、本発明の主たる構成は、
上端の口筒部の下方に肩部、胴部及び底部を備えると共に、平面視にて底部領域内であり且つ胴部に形成した取っ手を有して内容物を収容する容器本体と、口筒部に着脱自在に装着されて口筒部の封止を可能とするオーバーキャップと、注出用のノズルを備えると共にオーバーキャップの代わりに口筒部に着脱自在に装着されて内容物の注出を可能とするノズルキャップと、を有するノズル付き注出容器であって、
オーバーキャップとノズルキャップのいずれか一方に、他方を保持する保持手段を設け、
取っ手の上部で且つ口筒部の側方の領域に、口筒部にオーバーキャップが装着されたときにはノズルキャップの収納を可能とし、且つ口筒部にノズルキャップが装着されたときにはオーバーキャップの収納を可能とする収納スペースを、ノズルキャップの形状に倣う形状で且つ底部領域内に設けたことを特徴とする、と云うものである。
【０００９】
主たる構成のノズル付き注出容器では、口筒部にオーバーキャップを取り付けたときにはノズルの保持を達成し、ノズルを取り付けたときにはオーバーキャップの保持を達成する。保持手段は、ノズルキャップ側に設けた構成であってもよいし、オーバーキャップ側に設けた構成であってもよい。
【００１０】
より具体的には、上記請求項１に記載の発明において、保持手段が、ノズルキャップの基部側面に突設され、オーバーキャップを保持する一対の弾性腕として構成される、と云うものである。
【００１１】
上記構成では、ノズルキャップ側に設けた一対の弾性腕の間にオーバーキャップを挿入するだけで、口筒部にノズルキャップが装着されているときにはオーバーキャップの保持を達成し、口筒部にオーバーキャップが装着されているときにはノズルキャップの保持を達成する。
【００１２】
本発明の他の構成は、上記請求項２に記載の発明において、オーバーキャップの天面に、一対の弾性腕によって保持される被保持部を設けた、と云うものである。
【００１３】
上記構成では、被保持部の径寸法は、オーバーキャップの外径寸法よりも細くしてあるので、一対の弾性腕間に被保持部を挿入する操作及び抜脱する操作、すなわち着脱操作の容易化及び円滑化を達成する。
【００１４】
本発明の他の構成は、上記請求項１に記載の発明において、保持手段が、オーバーキャップの基部側面に突設され、ノズルキャップを保持する一対の弾性腕として構成される、と云うものである。
【００１５】
上記構成では、オーバーキャップ側に設けた一対の弾性腕の間にノズルキャップ側のノズルを挿入するだけで、口筒部にノズルキャップが装着されているときにはオーバーキャップの保持を達成し、口筒部にオーバーキャップが装着されているときにはノズルキャップの保持を達成する。
【００１６】
また本発明の他の構成は、請求項１乃至４のいずれか一項に記載の発明において、容器本体に、保持手段に保持されたノズルキャップを収める収納スペースを、ノズルキャップの形状に倣う形状で形成したと云うものである。
【００１７】
上記構成では、ノズルキャップを保持した容器全体のコンパクト化を達成する。
【００１８】
より具体的には、請求項５に記載の発明において、収納スペースを、容器本体から側方に突出形成された取っ手の上部で且つ口筒部の側方の領域に形成した、と云うものである。
【００１９】
上記構成では、これまで活用されて来なかった取っ手の上部のデットスペースを有効利用し、さらなる容器全体のコンパクト化を達成する。
【００２０】
また本発明の他の構成は、請求項１乃至６のいずれか一項に記載の発明において、ノズルキャップ先端の注出口に、複数の小孔、十字状または格子状のうちのいずれか一つからなる流量調整部を配置した、と云うものである。
【００２１】
上記構成では容器本体内に充填される内容物の性状に合わせて、すなわち、内容物が粉状であるか、粒状であるか、または液状であるかに応じた注出口とすることにより、注出される内容物の流量の調整を達成する。
【発明の効果】
【００２２】
本発明は、上記した構成となっているので、以下に示す効果を奏する。
本発明の主たる構成においては、ノズルキャップとオーバーキャップのうち、口筒部に装着した一方のキャップに対し、他方のキャップを簡単且つ迅速に保持させることができるため、装着していない方のキャップの紛失を防止できる。またノズルキャップが口筒部よりも上方に大きく突出する状態で保持されることがなくなり、注出容器の全高さ寸法を低く抑えることができる。これにより注出容器を通常規格の梱包箱や保管棚内に収めることができ、流通および保管に適した注出容器とすることが可能となる。
またノズルキャップを必要最小限のスペース内に収納できるため、ノズルキャップを保持した容器全体のコンパクト化が可能となる。
さらにこれまで活用されて来なかったデットスペースを有効利用することにより、全高さ寸法を抑えてコンパクト化に進んだ注出容器とすることができる。
【００２３】
また請求項２に記載の、保持手段が、ノズルキャップの基部側面に突設され、オーバーキャップを保持する一対の弾性腕として構成されるものでは、ノズルキャップを口筒部に装着して注出するノズルキャップ使用状態においては、オーバーキャップを保持してその紛失を防止することができる。またオーバーキャップを口筒部に装着して封止するノズルキャップ不使用状態においては、ノズルキャップを保持してその紛失を防止することができる。
【００２４】
また請求項３に記載の、オーバーキャップの天面に、一対の弾性腕によって保持される被保持部を設けたとの構成では、被保持部の径寸法はオーバーキャップの基部の径寸法よりも細く形成してあるので、この被保持部を一対の弾性腕が保持する際には、オーバーキャップの基部がノズルキャップの基部又は容器本体に当たらないように、オーバーキャップを倒立させた状態で保持することになるが、これによりオーバーキャップの内側に付着した内容物の落下（液垂れ等）を防止することができる。
【００２５】
また請求項４に記載の、保持手段が、オーバーキャップの基部側面に突設され、ノズルキャップを保持する一対の弾性腕として構成されるものにおいても、ノズルキャップを口筒部に装着して注出するノズルキャップ使用状態においては、オーバーキャップを保持してその紛失を防止することができる。またオーバーキャップを口筒部に装着して封止するノズルキャップ不使用状態においては、ノズルキャップを保持してその紛失を防止することができる。
【００２８】
また請求項５に記載の、ノズルキャップ先端の注出口に、複数の小孔、十字状または格子状のうちのいずれか一つからなる流量調整部を配置した構成にあっては、例えば内容物が液状の場合には複数の小孔からなる流量調整部とすることにより、内容物が粉状又は粒状である場合には十字状または格子状の流量調整部とすることにより、それぞれ流量調整部を有しない場合に比較して、注出容器を急激に傾けたときに内容物が勢い良く注出されることを防止することができる。
また複数の小孔の場合には内溶液をシャワー状に注出させることができる。
【図面の簡単な説明】
【００２９】
【図１】本発明の第１実施例として、ノズルキャップ不使用状態を示すノズル付き注出容器の正面図である。
【図２】図１の部分断面図である。
【図３】図１の平面図である。
【図４】本発明の第１実施例として、ノズルキャップ使用状態を示すノズル付き注出容器の正面図である。
【図５】オーバーキャップの一例を示す斜視図である。
【図６】ノズルキャップの一例を示す斜視図である。
【図７】本発明の第２実施例として、ノズルキャップ不使用状態を示すノズル付き注出容器の部分正面図である。
【図８】本発明の第２実施例として、ノズルキャップ使用状態を示すノズル付き注出容器の部分正面図である。
【図９】ノズルキャップの他の例を示す斜視図である。
【発明を実施するための形態】
【００３０】
以下、本発明の実施の形態について図面を参照しつつ説明する。
図１は本発明の第１実施例として、ノズルキャップ不使用状態を示すノズル付き注出容器の正面図、図２は図１の部分断面図、図３は図１の平面図、図４は本発明の第１実施例として、ノズルキャップ使用状態を示すノズル付き注出容器の正面図、図５はオーバーキャップの一例を示す斜視図、図６はノズルキャップの一例を示す斜視図である。
【００３１】
図１乃至図６に示すノズル付き注出容器１は、内容物として液体が充填されることを想定した容器であり、容器本体２と、容器本体２の上端の口筒部３に装着されて内部を封止するオーバーキャップ１０と、同じく口筒部３に装着されて内容物を外部に注出するノズルキャップ２０とを有して構成される。
【００３２】
容器本体２は、例えば合成樹脂材料をブロー成形することにより形成され、上端の口筒部３の下方に肩部４、胴部５及び底部６を備えると共に、胴部５の一部を略楕円状に貫通して形成した取っ手７を有して構成されている。口筒部３の外周面には雄ネジ突条３ａが刻設されており（図２参照）、オーバーキャップ１０やノズルキャップ２０が螺着できるようになっている。
【００３３】
取っ手７の上部で且つ口筒部３の側方の領域には、収納スペース８が形成されている。図１に示すように、収納スペース８は、ノズルキャップ２０の形状に倣って肩部４の一部を凹状に変形させることにより形成したものである。
洗剤用の注出容器のような大型のボトル容器の場合には、利用者の利便性を考慮し、胴部の一部に取っ手を形成する構成が一般的に行われているが、胴部側方に突出形成される取っ手の上部領域はこれまで利用されずにデットスペース化した領域であったが、本発明では上記のようなデットスペースをノズルキャップ２０用の収納スペースとして有効利用することにより、ノズル付き注出容器１のコンパクト化を達成している。
【００３４】
図２及び図５などに示すように、オーバーキャップ１０は、内周面に雌ネジ突条１１ａが刻設された円筒形状の基部１１と、基部１１の天面１２に有頂円筒状に基部１１よりも細い径寸法で突設された被保持部１３とを有して合成樹脂材料により一体に形成されている。被保持部１３の頂部の周囲には、外周方向に円環状に延出するフランジ１４が突出形成されている。このフランジ１４は、後述する一対の弾性腕２４，２４間に保持された被保持部１３の垂直方向への抜けを防止する。
なお、オーバーキャップ１０は計量カップとして利用することもできる。
【００３５】
図２及び図６などに示すように、ノズルキャップ２０は、内周面に雌ネジ突条２１ａが刻設された円筒形状の基部２１と、天面２２の中央に垂設されたノズル２３と、基部２１の側面２１Ａに突設された一対の弾性腕（保持手段）２４，２４とを有して合成樹脂材料により一体に形成されている。図３及び図６に示すように、一対の弾性腕２４，２４は側面２１Ａから互いに平行に延びる基端部２４ａ，２４ａと、基端部２４ａ，２４ａの先端に平面視略円弧状に形成された保持部２４ｂ，２４ｂとを有して構成されている。一対の弾性腕２４，２４は、互いの対向間隔を広げる開方向及び狭める閉方向に自在に弾性変形することが可能である。先端の保持部２４ｂ，２４ｂの径寸法は、オーバーキャップ１０の被保持部１３の径寸法に略一致しており、一対の弾性腕２４，２４の間に被保持部１３を挿入して押し込むと、一対の弾性腕２４，２４が互いに広がる開方向に弾性変形し、保持部２４ｂ，２４ｂが被保持部１３を両側から挟持する。すなわち、一対の弾性腕２４，２４はオーバーキャップ１０を保持する保持手段として機能する。
【００３６】
図６に示すように、ノズル２３先部には注出口２５が傾斜状に形成されており、この注出口２５に流量調整部２６が設けられている。注出口２５の周方向の向きは、一対の弾性腕２４，２４と向き合う位置に設定されている。すなわち、一対の弾性腕２４，２４は、注出口２５を左右に二等分する仮想延長線Ｌを挟んで左右均等となる位置に設けられている。
【００３７】
第１実施例として示す流量調整部２６は複数の小孔２７によって構成されている。これにより、ノズルキャップ２０を口筒部３に装着した注出容器１（図４参照）を急激に傾けても、複数の小孔２７が液状内容物の流量を調整するため、注出口２５から液状内容物が勢い良く注出されることを防止することが可能である。また液状内容物をシャワー状に注出させることも可能となっている。
【００３８】
次に、上記ノズル付き注出容器１の使用方法について説明する。
まず、注出容器１を流通過程に置く場合や保管する場合には、図１乃至図３に示すように、オーバーキャップ１０を容器本体２の口筒部３に装着する。そして、ノズルキャップ２０をノズル２３が下向きとなる倒立姿勢とし、収納スペース８側から一対の弾性腕２４，２４でオーバーキャップ１０の被保持部１３を挟持させる。これにより、ノズルキャップ２０が、注出容器１側方の収納スペース８内に保持されるノズルキャップ不使用状態に設定することができる。
【００３９】
ノズルキャップ不使用状態では、特にノズル２３が上方に大きく突出することがなくなり、ノズル付き注出容器１の全高さ寸法を低く抑えることができる。よって、ノズル付き注出容器１を通常規格の梱包箱や保管棚内に収納することができるようになる。
【００４０】
またノズルキャップ２０の紛失を防止することができる。なお、ノズルキャップ２０を一対の弾性腕２４，２４間に保持しただけの状態では、何らかの外力を受けたときにノズルキャップ２０が外れてしまう恐れがある。そこで、例えば先端の保持部２４ｂ，２４ｂ間に接着テープ等を設けてノズルキャップ２０を接着固定するようにすると、流通過程におけるノズルキャップ２０の紛失をより効果的に防止することが可能である。
【００４１】
次に、注出容器１から内容物を注出させるノズルキャップ使用状態とする場合には、図４に示すように、口筒部３からオーバーキャップ１０を取り外し、代わりにノズルキャップ２０を口筒部３に装着する。このとき、ノズルキャップ２０の基部２１に形成された一対の弾性腕２４，２４を収納スペース８と対向する位置に設定する。そして、オーバーキャップ１０を被保持部１３が下側の位置となる倒立姿勢に設定し、この状態から被保持部１３を一対の弾性腕２４，２４間に挿入することにより、オーバーキャップ１０の保持が可能となり、ノズルキャップ使用状態におけるオーバーキャップ１０の紛失を防止することができる。
【００４２】
なお、オーバーキャップ１０の姿勢を、被保持部１３が上側に位置することとなる正立姿勢の状態で一対の弾性腕２４，２４間に挿入しても、オーバーキャップ１０の基部１１が容器本体２に当接して保持することができない。したがって、本発明では、オーバーキャップ１０を常に倒立姿勢で保持される構成となるため、オーバーキャップ１０の内側に付着している内容物の液垂れを防止することが可能である。
【００４３】
図７は本発明の第２実施例として、ノズルキャップ不使用状態を示すノズル付き注出容器の部分正面図、図８は本発明の第２実施例として、ノズルキャップ使用状態を示すノズル付き注出容器の部分正面図である。
【００４４】
図７及び図８に第２実施例として示すノズル付き注出容器１が、第１実施例と異なる点は保持手段の構成にあり、その他の構成及び効果は第１実施例と同様である。よって、以下においては主として異なる点について説明する。
【００４５】
図７及び図８に示すように、第２実施例では、保持手段を構成する一対の弾性腕１５，１５がオーバーキャップ１０を構成する基部１１の側面１１Ａに一体に突設されている。一対の弾性腕１５，１５の構成は上記第１実施例の一対の弾性腕２４，２４と同様である。すなわち、側面１１Ａから互いに平行に延びる基端部１５ａ，１５ａと、基端部１５ａ，１５ａの先端に平面視略円弧状に形成された保持部１５ｂ，１５ｂとを有して構成されている。一対の弾性腕１５，１５は、互いの対向間隔を広げる開方向及び狭める閉方向に自在に弾性変形することが可能である。また先端の保持部１５ｂ，１５ｂの径寸法は、ノズルキャップ２０のノズル２３の径寸法に略一致しており、一対の弾性腕１５，１５の間にノズル２３を挿入して押し込むと、一対の弾性腕１５，１５が互いに広がる開方向に弾性変形し、保持部１５ｂ，１５ｂがノズル２３を両側から挟持する。すなわち、一対の弾性腕１５，１５は、ノズルキャップ２０を保持する保持手段として機能する。なお、この場合はノズル２３が第１実施例における被保持部に相当することになる。
【００４６】
図７に示すノズルキャップ不使用状態では、口筒部３に装着されたオーバーキャップ１０側に設けられた一対の弾性腕１５，１５の間にノズル２３を挿入させることにより、ノズルキャップ２０の保持が可能となる。
この状態では、第１実施例同様に、収納スペース８内にノズルキャップ２０が位置することにより、デットスペースの有効利用と、注出容器の全高さ寸法の低減及び、容器全体のコンパクト化を図ることができる。
【００４７】
図８に示すノズルキャップ使用状態では、オーバーキャップ１０側の一対の弾性腕１５，１５の間に、口筒部３に装着されたノズルキャップ２０のノズル２３を挿入させることにより、オーバーキャップ１０の保持が可能となる。よって、ノズルキャップ使用状態におけるオーバーキャップ１０の紛失を防止することができる。
【００４８】
図９はノズルキャップの他の例を示す斜視図である。
図９に示すノズルキャップ２０が、上記第１実施例に示すノズルキャップ２０（図６参照）と異なる点は流量調整部にあり、その他の構成及び効果は上記同様である。よって、以下においては主として異なる点について説明する。
【００４９】
図９に示すノズルキャップ２０では、ノズル２３先端の注出口２５が傾斜状に開口しており、この注出口２５に十字形状に仕切った流量調整部２６が設けられている。
内容物が粉状又は粒状である場合には、流量調整部２６を有しない従来の構成では、注出容器１を急激に傾けると、粉状又は粒状の内容物が注出口２５から勢い良く注出されることがあるが、注出口２５に十字形状の流量調整部２６を設けた構成では、注出時の勢い弱めて内容物の流量を調整することが可能となる。
以上、実施例に沿って本発明の構成とその作用効果について説明したが、本発明の実施の形態は上記実施例に限定されるものではない。
【００５０】
例えば、上記第２実施例では、第１実施例同様の被保持部１３を有するオーバーキャップ１０を示して説明したが、第２実施例においては被保持部として機能しないので被保持部１３を有しない構成とすることもできる。
【００５１】
また例えば、ノズルキャップの他の例では粉状又は粒状の内容物用として十字形状の流量調整部２６を示して説明したが、粒径の大きさに応じて、格子形状からなる流量調整部を採用する構成としてもよい。
【産業上の利用可能性】
【００５２】
本発明のノズル付き注出容器は、粉状、粒状又は液状などからなる内容物を注出するためのノズルキャップを備えた注出容器の分野における用途展開をさらに広い領域で図ることができる。
【符号の説明】
【００５３】
１    ； 注出容器
２    ；  容器本体
３    ；  口筒部
４    ；  肩部
５    ；  胴部
６    ；  底部
７    ；  取っ手
８    ；  収納スペース
１０  ；  オーバーキャップ
１１  ；  基部
１１ａ；  雌ネジ突条
１２  ；  天面
１３  ；  被保持部
１４  ；  フランジ
１５  ；  弾性腕
１５ａ；  基端部
１５ｂ；  保持部
２０  ；  ノズルキャップ
２１  ；  基部
２１ａ；  雌ネジ突条
２１Ａ；  側面
２２  ；  天面
２３  ；  ノズル
２４  ；  弾性腕
２４ａ；  基端部
２４ｂ；  保持部
２５  ；  注出口
２６  ；  流量調整部
２７  ；  小孔
【図１】
0005858359.tif 000002
【図２】
0005858359.tif 000003
【図３】
0005858359.tif 000004
【図４】
0005858359.tif 000005
【図５】
0005858359.tif 000006
【図６】
0005858359.tif 000007
【図７】
0005858359.tif 000008
【図８】
0005858359.tif 000009
【図９】
0005858359.tif 000010